(57)【要約】  ケーブルをラダーラックに固定するケーブルクリートシステム。ケーブルクリートシステムは、ブラケット本体を伴う取り付けブラケットアセンブリ、及びブラケット本体に摺動可能に取り付けられた浮動支持ブラケットを含む。金属ロックタイは、浮動支持ブラケットと取り付けブラケットアセンブリとの間に配置される。取り付けブラケットアセンブリはラダーラックのラダーラングに固定され、浮動支持ブラケットはラダーラックに固定されたケーブルを支持する。金属ロックタイは、浮動支持ブラケットによって支持されるケーブルの周りに巻かれる。浮動支持ブラケット及び金属ロックタイは、ラダーラックに固定されたケーブルの熱による膨張及び収縮を可能にするために、ブラケット本体に沿って摺動する。
2019505157.tif 000002
【特許請求の範囲】
【請求項１】
ケーブルをラダーラックに固定するためのケーブルクリートシステムであって、
ブラケット本体を有する取り付けブラケットアセンブリと、
前記ブラケット本体に摺動可能に取り付けられた浮動支持ブラケットと、を備え、
前記取り付けブラケットアセンブリが、前記ラダーラックのラダーラングに固定され、前記浮動支持ブラケットが、前記ラダーラックに固定された前記ケーブルを支持する、ケーブルクリートシステム。
【請求項２】
金属ロックタイを更に含み、前記金属ロックタイが、前記浮動支持ブラケットと前記取り付けブラケットアセンブリとの間に配置され、前記金属ロックタイが、前記浮動支持ブラケットによって支持された前記ケーブルの周りに巻かれる、請求項１に記載のケーブルクリートシステム。
【請求項３】
前記浮動支持ブラケット及び前記金属ロックタイが、前記ケーブルの熱による膨張及び収縮を可能にするために、前記ブラケット本体に沿って摺動する、請求項２に記載のケーブルクリートシステム。
【請求項４】
前記ブラケット本体が、水平梁、垂直部材及び前記垂直部材から延在している保持フランジを有し、前記保持フランジが、前記ラダーラングと係合して前記ブラケット本体が捩れることを防ぐ、請求項１に記載のケーブルクリートシステム。
【請求項５】
前記水平梁が、留め具を受け入れるためのねじ穴を伴う第１の端部を含み、前記留め具が、前記浮動支持ブラケットが前記水平梁から摺動して外れることを防ぐ、請求項４に記載のケーブルクリートシステム。
【請求項６】
前記垂直部材が、前記ブラケット本体を前記ラダーラングに装着する留め具を受け入れるための穴を有する、請求項４に記載のケーブルクリートシステム。
【請求項７】
前記浮動支持ブラケットが、２つのフランジを伴うベースを含み、各フランジがスロットを含む、請求項１に記載のケーブルクリートシステム。
【請求項８】
前記フランジが、前記ベースから下方に延在し、前記スロットが、互いに整列される、請求項７に記載のケーブルクリートシステム。
【請求項９】
前記ブラケット本体が、前記浮動支持ブラケットの前記整列されたスロットを通って配置される、請求項８に記載のケーブルクリートシステム。
【請求項１０】
ケーブルをラダーラックに固定するためのケーブルクリートシステムであって、
ブラケット本体を有する取り付けブラケットアセンブリと、
前記ブラケット本体に摺動可能に取り付けられたケーブルクリートであって、ベース及び前記ベースにヒンジ式に装着されたカバーを含む、前記ケーブルクリートと、を備え、
前記取り付けブラケットアセンブリが、前記ラダーラックのラダーラングに固定され、前記ケーブルクリートが、前記ケーブルを制限して前記ケーブルを前記ラダーラックに固定する、前記ケーブルクリートシステム。
【請求項１１】
前記ブラケット本体が、水平梁、垂直部材及び前記垂直部材から延在している保持フランジを有し、前記保持フランジが、前記ラダーラングと係合して前記ブラケット本体が捩れることを防ぐ、請求項１０に記載のケーブルクリートシステム。
【請求項１２】
前記水平梁が、留め具を受け入れるためのねじ穴を伴う第１の端部を含み、前記留め具が、前記ケーブルクリートが前記水平梁から摺動して外れることを防ぐ、請求項１１に記載のケーブルクリートシステム。
【請求項１３】
前記垂直部材が、前記ブラケット本体を前記ラダーラングに装着する留め具を受け入れるための穴を有する、請求項１１に記載のケーブルクリートシステム。
【請求項１４】
前記ケーブルクリートの前記ベースが、第１の端部及び第２の端部を含み、前記ケーブルクリートの前記カバーが、第１の端部及び第２の端部を含む、請求項１０に記載のケーブルクリートシステム。
【請求項１５】
前記ケーブルクリートが、前記ベースの前記第２の端部と前記カバーの前記第１の端部とを枢動可能に連結するヒンジピン、及び前記カバーの前記第２の端部と前記ベースの前記第１の端部とをロックするロックピンを含む、請求項１４に記載のケーブルクリートシステム。
【請求項１６】
前記ベースの前記第１及び前記第２の端部が、整列された穴を伴うフランジを含み、かつ前記カバーの前記第１及び前記第２の端部が、整列された穴を伴うフランジを含み、
前記カバーの前記第１の端部が、前記ヒンジピンを受け入れるように整列されている前記フランジの前記穴を伴う前記ベースの前記第２の端部における前記フランジ間に配置され、
前記ベースの前記第１の端部が、前記ロックピンを受け入れるように整列されている前記フランジの前記穴を伴う前記カバーの前記第２の端部の前記フランジ間に配置される、請求項１５に記載のケーブルクリートシステム。
【請求項１７】
前記ケーブルクリートが、前記ヒンジピン及び前記ロックピンが振動及び摺動して外れることから保護するための、前記ヒンジピンの穴に挿入された第１のキーパワイヤ及び前記ロックピンの穴に挿入された第２のキーパワイヤを含む、請求項１５に記載のケーブルクリートシステム。
【請求項１８】
前記ケーブルクリートの前記ベースが、２つのフランジを伴う底部平坦部分を含み、各フランジが、スロットを含む、請求項１０に記載のケーブルクリートシステム。
【請求項１９】
前記フランジが、前記ベースから下方に延在し、かつ前記スロットが互いに整列され、
前記ブラケット本体が、前記ケーブルクリートが前記ブラケット本体に沿って摺動して前記ケーブルの膨張及び収縮に適応することを可能にするために、前記ケーブルクリートの前記ベースの前記整列されたスロットを通って配置される、請求項１８に記載のケーブルクリートシステム。
【請求項２０】
複数のケーブルサイズを収容するための、前記ケーブルクリートの前記ベースと前記カバーとの間に配置された挿入部品を更に含む、請求項１０に記載のケーブルクリートシステム。
【発明の詳細な説明】
【技術分野】
【０００１】
関連出願の相互参照
本出願は、２０１６年１月１３日出願の米国仮特許出願第６２／２７８，２３７号に対する優先権を主張し、同出願の主題全体を参照によりここに援用する。
【０００２】
本発明は、ラダーラックに固定されたケーブルに関し、より詳細には、ラダーラックに固定されたケーブルの熱による膨張及び収縮を許容するラダーラックのためのケーブルクリートシステムに関する。
【背景技術】
【０００３】
短絡保護または一般的な締め付けを目的として、ケーブルをラダーラックに固定するために、典型的には、ブラケット及びストラップが使用される。一般的な問題は、ラダーラックに装着されたケーブルが膨張または収縮するときに発生する。ケーブルが移動し、その結果、ケーブルとラダーラックとの間の連結が破損または損傷する場合が多い。
【発明の概要】
【発明が解決しようとする課題】
【０００４】
したがって、ラダーラックへのケーブルの連結を改善し、ケーブルが膨張及び収縮することを許容し、それによって、ケーブル内に形成される力を低減し、かつケーブル及びラダーラックへの損傷を排除することが望ましい。
【課題を解決するための手段】
【０００５】
ケーブルをラダーラックに固定するように設計されたケーブルクリートシステム。ケーブルクリートシステムは、ブラケット本体を有する取り付けブラケットアセンブリ、及びブラケット本体に摺動可能に取り付けられた浮動支持ブラケットを含む。取り付けブラケットアセンブリは、ラダーラックのラダーラングに固定される。金属ロックタイは、浮動支持ブラケットと取り付けブラケットアセンブリとの間に配置される。金属ロックタイは、浮動支持ブラケットによって支持されるケーブルサポートの周りに巻かれてケーブルをラダーラックに固定する。浮動支持ブラケット及び金属ロックタイは、固定されたケーブルの熱による膨張及び収縮を可能にするために、ブラケット本体に沿って摺動する。
【０００６】
ケーブルをラダーラックに固定するように設計された代替のケーブルクリートシステム。ケーブルクリートシステムは、ブラケット本体を有する取り付けブラケットアセンブリ、及びブラケット本体に摺動可能に取り付けられたケーブルクリートを含む。取り付けブラケットアセンブリは、ラダーラックのラダーラングに固定される。ケーブルクリートは、ベース、及びベースにヒンジ式で装着されたカバーを含む。ケーブルは、ケーブルクリートのベースに配置され、ケーブルクリートのカバーは、ケーブルを制限してケーブルをラダーラックに固定する。ケーブルクリートは、固定されたケーブルの熱による膨張及び収縮を可能にするために、ブラケット本体に沿って摺動する。
【図面の簡単な説明】
【０００７】
【図１】本発明のラダーラック及びケーブルクリートシステムの斜視図である。
【図２】図１の穴付きラダーラングに設置されたケーブルクリートの斜視図である。
【図３】ラダーラックサイドレールを取り外した状態の図１のラダーラック及びケーブルクリートの右側断面図である。
【図４】図３の穴付きラダーラングに設置されたケーブルクリートの右側断面図である。
【図５】図１のケーブルクリートの斜視図である。
【図６】穴付きラダーラングに配置されたケーブル束の周りに部分的に設置された図２のケーブルクリートの正面図である。
【図７】穴付きラダーラングに配置されたケーブル束の周りに設置された図２のケーブルクリートの正面図である。
【図８】本発明のケーブルクリートシステムのラダーラック及び代替実施形態の斜視図である。
【図９】図８の穴なしラダーラングに設置されたケーブルクリートの斜視図である。
【図１０】ラダーラックサイドレールが取り外された状態の図８のラダーラック及びケーブルクリートシステムの右側面図である。
【図１１】図９の穴なしラダーラングに設置されたケーブルクリートの右側面図である。
【図１２】図９のケーブルクリートの斜視図である。
【図１３】束の周りに部分的に設置された図１２のケーブルクリートの正面図である。
【図１４】束の周りに設置された図１２のケーブルクリートの正面図である
【図１５】代替のラダーラック及びケーブルクリートシステムの斜視図である。
【図１６】図１５の穴付きラダーラングに設置されたケーブルクリートの斜視図である。
【図１７】ラダーラックサイドレールが取り外された状態の図１５のラダーラック及びケーブルクリートの右側面図である。
【図１８】図１５のケーブルクリートの斜視図である。
【図１９】図１８のケーブルクリートの分解図である。
【図２０】代替のラダーラック及びケーブルクリートシステムの斜視図である。
【図２１】図２０の穴付きラダーラングに設置されたケーブルクリートの斜視図である。
【図２２】ラダーラックサイドレールを取り外した状態の図２０のラダーラック及びケーブルクリートシステムの右側面図である。
【図２３】束の周りに部分的に設置された図２１のケーブルクリートの正面図である。
【図２４】束の周りに設置された図２３のケーブルクリートの正面図である。
【図２５】小型束の周りに設置された成形された挿入部品を伴う図２０のケーブルクリートの正面図である。
【図２６】図２５のケーブルクリートの分解図である。
【発明を実施するための形態】
【０００８】
本発明は、ラダーラックに装着された、ケーブルの熱による膨張または収縮を許容するラダーラック及びケーブルクリートシステムである。図１は、ラダーラックサイドレール５２、及びラダーラック５０を形成するために所定の間隔でサイドレール５２の間に配置されたラダーラング５４、５６を伴うラダーラック５０を示す。図１に示すように、ラダーラック５０の３つおきのラングは穴付きラング５６であり、ラダーラングの側部は整列された穴５８を有する。後述するように、整列された穴５８は、ケーブル７０をラダーラック５０に固定するように設計されたケーブルクリート１００を受け入れる。
【０００９】
図２〜図４は、ケーブル７０をラダーラック５０の穴付きラダーラング５６に固定する本発明のケーブルクリート１００を示す。図３に示すように、各穴付きラング５６は、穴なしラング５４よりも低い位置に配置され、ケーブル７０を持ち上げることなく、ケーブルクリート１００をラダーラック５０に載っているケーブルの下に挿入することを可能にする。その結果、ケーブルクリート１００は容易かつ迅速に設置される。
【００１０】
図４に示すように、ケーブルクリート１００は、穴付きラダーラング５６よりも幅広である。その結果、ラダーラング５６の両側に開放空間８０が存在する。開放空間８０は、必要に応じて、ケーブルクリート１００がラダーラング５６の上で摺動することを許容することによって、熱による膨張に対する補償を提供する。
【００１１】
図５に示すように、ケーブルクリート１００は、ケーブルクリートベース１０２、ケーブルクリートカバー１２０、キーパワイヤ１４４、１５４、１６４をそれぞれ伴う３つのピン１４０、１５０、１６０を含む。各ピンは、ケーブルクリート１００を固定する異なる機能を果たす。ケーブルクリートヒンジピン１４０は、ケーブルクリートカバー１２０をケーブルクリートベース１０２に枢動可能に連結する。ケーブルクリート装着ピン１５０は、ケーブルクリート１００を穴付きラダーラング５６に固定する。ケーブルクリートロックピン１６０は、ケーブルクリートカバー１２０をケーブル７０の上で固定する。キーパワイヤ１４４、１５４、１６４は、振動から保護し、ピン１４０、１５０、１６０がそれぞれ摺動して外れることを防ぐ。キーパワイヤ１４４、１５４、１６４は、典型的なコッタピンとして作用する。キーパワイヤは、ケーブルクリートピンをケーブルクリートピンシャフトの穴を通すように挿入することによって固定し、次いでケーブルクリートピンを適所に保持するように広げられる。
【００１２】
ケーブルクリートベース１０２は、穴付きラダーラング５６の上に載っているケーブル７０の下で摺動するように設計された第１の端部１０４、及び第２の端部１１２を含む。ケーブルクリートベース１０２の第１の端部１０４は、２つの下方に延在しているベースフランジ１０６を含む。ベースフランジ１０６のうちの１つは、ケーブルクリートベース１０２の第１の端部１０４の両側に配置される。各ベースフランジ１０６は、ケーブルクリート装着ピン１５０及びケーブルクリートロックピン１６０をそれぞれ受け入れるための２つの穴１０８、１１０を含む。ケーブルクリートベース１０２の第２の端部１１２はまた、ケーブルクリートベース１０２の第２の端部１１２の両側に配置された２つのフランジ１１４を含む。各フランジ１１４は、ケーブルクリートヒンジピン１４０を受け入れるための穴１１６を含む。
【００１３】
ケーブルクリートカバー１２０は、２つのフランジ１２４を伴う第１の端部１２２、及び２つのフランジ１３０を伴う第２の端部１２８を含む。ケーブルクリートカバー１２０の第１の端部１２２におけるフランジ１２４は、ケーブルクリートカバー１２０の両側に配置され、各フランジ１２４は、ケーブルクリートヒンジピン１４０を受け入れるための穴１２６を含む。図２及び図５〜図７に示すように、ケーブルクリートカバー１２０の第１の端部１２２は、ケーブルクリートヒンジピン１４０を介して、ケーブルクリートベース１０２の第２の端部１１２に枢動可能に連結される。ケーブルクリートヒンジピン１４０は、ケーブルクリートヒンジピン１４０内の穴１４２に挿入されてベース１０２とカバー１２０とを共に保持するキーパワイヤ１４４によって適所にロックされる。ケーブルクリートカバー１２０の第２の端部１２８におけるフランジ１３０は、ケーブルクリートカバー１２０の各側に配置され、各フランジ１３０は、ケーブルクリートロックピン１６０を受け入れるための穴１３２を含む。
【００１４】
図６及び図７は、ケーブル７０の上の穴付きラダーラング５６のケーブルクリート１００の設置を示す。ケーブルクリート１００は、ケーブル７０の周りに設置され、ケーブルクリートカバー１２０は上方に枢動される。ケーブルクリートベース１０２を穴付きラダーラング５６に載っているケーブル７０の下で摺動させた後、ケーブルクリート装着ピン１５０は、ベースフランジ１０６の穴１０８、穴付きラング５６の整列された穴５８、及び第２のベースフランジ１０６の穴１０８を通って挿入される。ケーブルクリート装着ピン１５０は、ケーブルクリート装着ピン１５０の穴１５２に挿入されてケーブルクリート１００を共に保持するキーパワイヤ１５４によって適所にロックされる。ケーブルクリート装着ピン１５０は、ラダーラング５６に沿った横方向移動を防ぐ。
【００１５】
次に、ケーブルクリートカバー１２０は、ケーブル７０の周りで下方に枢動されてケーブル７０を制限する。ケーブルクリートカバー１２０が完全に閉じられると、ケーブルクリートロックピン１６０は、ケーブルクリートカバー１２０の第２の端部１２８におけるフランジ１３０のうちの１つの穴１３２、ケーブルクリートベース１０２の第１の端部１０４におけるフランジ１０６の穴１１０、及びケーブルクリートカバー１２０の第２の端部１２８の反対側におけるフランジ１３０の穴１３２を通って挿入される。ケーブルクリートロックピン１６０は、ケーブルクリートロックピン１６０内の穴１６２に挿入され、ケーブルクリート１００を共に保持するキーパワイヤ１６４によって、適所に固定される。
【００１６】
図１〜図７に関して説明したケーブルクリートシステムは、ラダーラック５０の３つおきの穴付きラダーラング５６でのみケーブル７０を持ち上げることなく設置されてもよい。図８〜図１４は、穴付きラダーラング５６に固定されたケーブルクリート１００、及びケーブルを穴なしラダーラング５４に固定するために使用されるケーブルクリート２００を有する、代替のケーブルクリートシステムを示す。ケーブルのうちの１つの束のみが示されているが、複数のケーブルの束が本発明のラダーラックに設置されてもよいことが理解される。
【００１７】
図９〜図１１に示すように、ケーブル７０は、穴なしラダーラング５４に直接載っている。ケーブルクリート２００は、ケーブル７０をラダーラング５４から持ち上げることなく、ケーブル７０の周りに巻くように設計されている。後述するように、ケーブルクリート２００は、２つの部材２０４ａ、２０４ｂに分割され、ケーブル７０を持ち上げることなく、ラダーラング５４に載っているケーブル７０の下にケーブルクリートベース２０２を挿入することができる、ベース２０２を含む。その結果、ケーブルクリート２００は、容易かつ迅速に設置される。図１０〜図１１に示すように、ケーブルクリート２００がラダーラングに設置されているとき、ラダーラング５４の両側に開放空間９０が存在する。開放空間９０は、必要に応じて、ケーブルクリート２００をラダーラング５４の上で摺動することを可能にすることによって、熱による膨張に対する補償を提供する。
【００１８】
ケーブルクリート２００は、図１２〜図１４により詳細に示されている。ケーブルクリート２００は、ベース２０２、カバー２２０、及びキーパワイヤ２４４、２６４をそれぞれ伴う２つのピン２４０、２６０を含む。各ピン２４０、２６０は、ケーブルクリート２００を固定する異なる機能を果たす。ケーブルクリートヒンジピン２４０は、ケーブルクリートカバー２２０をケーブルクリートベース２０２に枢動可能に連結する。ケーブルクリートロックピン２６０は、ケーブルクリートカバー２２０をケーブル７０の上で固定する。キーパワイヤ２４４、２６４は、振動に対して保護し、ケーブルクリートヒンジピン２４０及びケーブルクリートロックピン２６０がそれぞれ摺動して外れることを防ぐ。
【００１９】
ケーブルクリートベース２０２は、第１の端部２０６ａ、２０６ｂ及び第２の端部２１２ａ、２１２ｂを有する各ベース部材２０４ａ、２０４ｂと離間した２つのベース部材２０４ａ、２０４ｂを含む。ベース部材２０４ａ、２０４ｂの第１の端部２０６ａ、２０６ｂは、ケーブルクリートロックピン２６０を受け入れるための中心開口部２１０ａ、２１０ｂを伴う一対のフランジ２０８ａ、２０８ｂを有する。ベース部材２０４ａ、２０４ｂの第２の端部２１２ａ、２１２ｂは、ケーブルクリートヒンジピン２４０を受け入れるための中心開口部２１６ａ、２１６ｂを伴う一対のフランジ２１４ａ、２１４ｂを有する。同様に、ケーブルクリートカバー２２０は、第１の端部２２２及び第２の端部２２８を含む。ケーブルクリートカバー２２０の第１の端部２２２は、ケーブルクリートヒンジピン２４０を受け入れるための中心穴２２６を伴う一対のフランジ２２４を含む。図１２に示すように、カバー２２０の第１の端部２２２は、ベース部材２０４ａ、２０４ｂの第２の端部２１２ａ、２１２ｂの間に配置される。ベース部材２０４ａ、２０４ｂの第２の端部２１２ａ、２１２ｂのフランジ２１４ａ、２１４ｂの中心穴２１６ａ、２１６ｂ、及びカバー２２０の第１の端部２２２のフランジ２２４の中心穴２２６は、ケーブルクリートヒンジピン２４０を受け入れるように整列する。ケーブルクリートヒンジピン２４０は、ヒンジピン２４０の穴２４２に挿入されてケーブルクリートを共に保持するキーパワイヤ２４４によって適所に固定される。
【００２０】
カバー２２０の第２の端部２２８は、ケーブルクリートロックピン２６０を受け入れるための中心穴２３２を伴う一対のフランジ２３０を含む。カバー２２０の第２の端部２２８は、ベース部材２０４ａ、２０４ｂの第１の端部２０６ａ、２０６ｂの間に配置される。ベース部材２０４ａ、２０４ｂの第１の端部２０６ａ、２０６ｂのフランジ２０８ａ、２０８ｂの中心穴２１０ａ、２１０ｂ、及びカバー２２０の第２の端部２２８のフランジ２３０の中心穴２３２は、ケーブルクリートロックピン２６０を受け入れるように整列する。
【００２１】
ケーブルクリート２００をラダーラック５０上のケーブル７０の周りに設置するために、ケーブルクリート２００のベース部材２０４ａ、２０４ｂは、穴なしラダーラング５４に載っているケーブル７０の下で摺動し、ケーブルクリートカバー２２０が上方へ枢動する。ケーブルクリートカバー２２０は、閉位置（図１４参照）まで下方に枢動されてケーブル７０を制限する。ケーブルクリートカバー２２０がケーブル７０の周りに配置されると、ロックピン２６０は、ベース部材２０４ａ、２０４ｂの第１の端部２０６ａ、２０６ｂのフランジ２０８ａ、２０８ｂ、及びケーブルクリートカバー２２０の第２の端部２２８のフランジ２３０を通って挿入される。ケーブルクリートロックピン２６０は、ロックピン２６０の穴２６２に挿入されてケーブルクリートを共に保持するキーパワイヤ２６４によって、適所に固定される。その結果、ケーブルクリート２００は、穴なしラダーラング５４に配置されたケーブル７０にロックされる。
【００２２】
図１５〜図１９は、ラダーラック３００に固定されたケーブル３１０の熱による膨張及び収縮を許容する代替のラダーラック３００及びケーブルクリートシステム３２０を示す。代替のシステムは、２つのラダーラックサイドレール３０２及び複数の穴付きラダーラング３０４を伴うラダーラック３００を含み、複数の穴付きラダーラング３０４は、整列された穴３０６を有するラダーラング３０４の側部を伴う。穴付きラダーラング３０４は、ラダーラックサイドレール３０２の間に配置される。穴付きラダーラング３０４は、互いに同じ高さで、かつ互いから一定の間隔を置いて位置している。
【００２３】
図１６〜図１９に示すように、ケーブルクリートシステム３２０は、取り付けブラケットアセンブリ３２２、浮動支持ブラケット３５０、及び金属ロックタイ３６０を含む。取り付けブラケットアセンブリ３２２は、ブラケット本体３２４、取り付けボルト３２６、取り付け六角ナット３２８、及び止めねじ３３０を含む。ブラケット本体３２４は、水平梁３３２、垂直部材３３６、及び保持フランジ３４０を含む。垂直部材３３６は、取り付けボルト３２６を受け入れてブラケット本体３２４を穴付きラダーラング３０４に装着する穴３３８を有する。ブラケット本体３２４は、取り付け六角ナット３２８と共に適所に固定される。
【００２４】
水平梁３３２は、第１の端部において止めねじ３３０を受け入れるためのねじ穴３３４を含む。水平梁３３２は、浮動支持ブラケット３５０を収容する。浮動支持ブラケット３５０は、２つのフランジ３５４を伴う矩形ベース３５２を含む。フランジ３５４の各々は、互いに整列されたスロット３５６または細長い開口部を含む。図１８に示すように、水平梁３３２は、浮動支持ブラケット３５０の整列されたスロットまたは細長い開口部３５６を通って配置される。止めねじ３３０は、浮動支持ブラケット３５０が水平梁３３２から摺動して外れることを防ぐ。浮動支持ブラケット３５０は、ケーブル３１０を支持し、金属ロックタイ３６０を受け入れる。
【００２５】
保持フランジ３４０は、垂直部材３３６から延在している。保持フランジ３４０は、ラダーラング３０４と係合し、ケーブル３１０が短絡したときに、ブラケット本体３２４が傾くかまたは捩れることを防ぐ。
【００２６】
金属ロックタイ３６０は、浮動支持ブラケット３５０と水平梁３３２との間を通り、ケーブル３１０の周りに巻かれている。金属ロックタイ３６０は、様々なサイズのケーブルに適合するように締め付けられ得る。浮動支持ブラケット３５０及び装着された金属ロックタイ３６０は、必要に応じて、水平梁３３２に沿って摺動してケーブル３１０の熱による膨張及び収縮を許容する。
【００２７】
図２０〜図２６は、ラダーラックに固定されたケーブルの熱による膨張及び収縮を可能にするラダーラック３００及び代替のケーブルクリートシステム４００を示す。代替のケーブルクリートシステム４００は、ラダーラックサイドレール３０２を有するラダーラック３００、及びラダーラックサイドレール３０２の間に配置された複数の穴付きラダーラング３０４と共に使用される。穴付きラダーラング３０４は、整列された穴３０６を含む。穴付きラダーラング３０４は、互いから一定の間隔を置いて同じ高さに位置している。
【００２８】
ケーブルクリートシステム４００は、取り付けブラケットアセンブリ４０２及びケーブルクリート４３０を含む。取り付けブラケットアセンブリ４０２は、ブラケット本体４０４、取り付けボルト４０６、取り付け六角ナット４０８、及び止めねじ４１０を含む。ブラケット本体４０４は、水平梁４１２、垂直部材４１４、及び保持フランジ４１８を含む。垂直部材４１４は、ブラケット本体４０４を穴付きラダーラング３０４に固定する取り付けボルト４０６を受け入れる穴４１６を有する。ブラケット本体４０４は、取り付け六角ナット４０８と共に適所に固定される。図１７に示した取り付けブラケット３３２とは対照的に、取り付けボルト４０６及び取り付け六角ナット４０８は、取り付けボルト４０６の頭部が穴付きラダーラング３０４の側部と水平梁４１２の下に配置された取り付け六角ナット４０８との間に配置されるように逆の位置に設置される。
【００２９】
水平梁４１２は、第１の端部において止めねじ４１０を受け入れるためのねじ穴４１３を含む。保持フランジ４１８は、垂直部材４１４から延在している。保持フランジ４１８は、ラダーラング３０４と係合し、ケーブル３１０が短絡したときに、ブラケット本体４０４が傾くかまたは捩れて外れることを防ぐ。
【００３０】
図２１〜図２４に示すように、ケーブルクリート４３０は、ベース４３２、カバー４５２、及びキーパワイヤ４７０、４７６をそれぞれ伴う２つのピン４６６、４７２を含む。ピンの各々は異なる機能を有する。ケーブルクリートヒンジピン４６６は、ベース４３２の第２の端部４４０とカバー４５２の第１の端部４５４とを枢動可能に連結するヒンジとして機能する。ケーブルクリートロックピン４７２は、カバー４５２の第２の端部４６０をベース４３２の第１の端部４３４にロックしてケーブルクリート４３０をケーブル３１０に固定する。キーパワイヤ４７０、４７６は、ケーブルクリートヒンジピン４６６及びケーブルクリートロックピン４７２の穴４６８、４７４にそれぞれ挿入される。キーパワイヤ４７０、４７６は、振動に対して保護し、ケーブルクリートヒンジピン４６６及びケーブルクリートロックピン４７２が偶発的に摺動して外れることを防ぐ。
【００３１】
ベース４３２の第１の端部４３４は、中心穴４３８を伴う２つのフランジ４３６を有する。図２１及び図２２に示すように、穴４３８は、ケーブルクリートロックピン４７２を受け入れるように整列される。ベース４３２の第２の端部４４０はまた、中心穴４４４を伴う２つのフランジ４４２を有する。穴４４４は、ケーブルクリートヒンジピン４６６を受け入れるように整列される。ベース４３２の底部平坦部分４４６は、整列された細長いスロット４５０を伴うフランジ４４８を含む。細長いスロット４５０は、ブラケット本体４０４の水平梁４１２を受け入れるように設計される。止めねじ４１０は、ケーブルクリート４３０の底部平坦部分４４６が、水平梁４１２から摺動して外れることを防ぐ。ベース４３２の底部平坦部分４４６は、必要に応じて、ケーブルクリート４３０が水平梁４１２に沿って摺動することを可能にする浮動支持体として機能してケーブル３１０の膨張及び収縮に対応する。
【００３２】
カバー４５２の第１の端部４５４は、ケーブルクリートヒンジピン４６６を受け入れるための整列された穴４５８を伴うフランジ４５６を含む。図２１に示すように、カバー４５２の第１の端部４５４は、ベース４３２の第２の端部４４０においてフランジ４４２の間に配置され、その結果、フランジ４４２、４５６の穴４４４、４５８がそれぞれ、ケーブルクリートヒンジピン４６６を収容するように整列される。カバー４５２の第２の端部４６０は、ケーブルクリートロックピン４７２を受け入れるための整列された中心穴４６４を伴うフランジ４６２を含む。図２４に示すように、ベース４３２の第１の端部４３４は、カバー４５２の第２の端部４６０のフランジ４６２の間に配置され、その結果、フランジ４３６、４６２の穴４３８、４６４がそれぞれ、ケーブルクリートロックピン４７２を収容するように整列される。
【００３３】
ケーブルクリートベース４３２が、水平梁４１２及び水平梁４１２上のケーブル３１０の上に摺動された後、ケーブルクリートカバー４５２は、下方に枢動してケーブル３１０を制限する。ケーブルクリート４３０がケーブル３１０の上で閉められると、ケーブルクリートロックピン４７２は、ケーブルクリートカバー４５２の第２の端部４６０におけるフランジ４６２の整列された穴４６４、及びケーブルクリートベース４３２の第１の端部４３４におけるフランジ４３６の穴４３８を通って挿入される。
【００３４】
図２５及び図２６に示すように、ケーブルクリート４３０は、必要に応じて、異なるサイズのケーブル４９０と共に使用されてもよい。成形された挿入部品４８０は、ケーブルクリートカバー４５２が下方に枢動してケーブル４９０を固定する前に、ケーブル４９０の上に配置される。成形された挿入部品４８０により、ケーブルクリートアセンブリ４００は、ケーブルサイズの一定の範囲を確保することができる。図２５及び図２６に示す成形された挿入部品４８０はまた、ラダーラックに固定された異なるサイズのケーブルを収容するために、図１〜図１４に示しかつ説明したケーブルクリートアセンブリと共に使用されてもよい。
【００３５】
上述したケーブルクリートシステムは、ケーブルまたはラダーラックを損傷することなく、ケーブルを膨張及び収縮させることを可能にするために、ラダーラックにケーブルの改善された連結を提供する。
【００３６】
さらに、本発明の特別な好適な実施形態について図示しかつ説明したが、当業者には本発明の教示から逸脱せずに、その変更及び修正が可能であることが明らかであろう。先に述べた説明及び添付図面で説明した事柄は、実例を提示しているに過ぎず、何ら制限を課すものではない。
【符号の説明】
【００３７】
５０，３００  ラダーラック、５４，５６，３０４  ラダーラング、７０，３１０，４９０  ケーブル、１００，２００，４３０  ケーブルクリート、１０２，２１２，３５２，４３２  ベース、１０４，１２２，２０６ａ、２０６ｂ，２２２，４３４，４５４  第１の端部、１０６，１１４，１２４，１３０，２０８ａ、２０８ｂ，２１４ａ、２１４ｂ，２２４，２３０，３５４，４３６，４４２，４４８，４５６，４６２  フランジ、１０８，１１０，１１６，１２６，１３２，１４２，１６２，２１０ａ，２１０ｂ，２１６ａ，２１６ｂ，２２６，２３２，２４２，２６２，３３８，４１６，４３８，４４４，４５８，４６４，４６８，４７４  穴、１１２，１２８，２１２ａ、２１２ｂ，２２８，４４０，４６０  第２の端部、１２０，２２０，４５２  カバー、１４０，２４０，４６６  ヒンジピン、１４４，２４４，４７０  第１のキーパワイヤ、１６０，２６０，４７２  ロックピン、１６４，２６４，４７６  第２のキーパワイヤ、３２０，４００  ケーブルクリートシステム、３２２，４０２  取り付けブラケットアセンブリ、３２４，４０４  ブラケット本体、３２６，３３０，４０６，４１０  留め具、３３２，４１２  水平梁、３３４，４１３  ねじ穴、３３６，４１４  垂直部材、３４０，４１８  保持フランジ、３５０  浮動支持ブラケット、３５６，４５０  スロット、３６０  金属ロックタイ、４４６  底部平坦部分、４８０  挿入部品
【図１】
2019505157.tif 000003
【図２】
2019505157.tif 000004
【図３】
2019505157.tif 000005
【図４】
2019505157.tif 000006
【図５】
2019505157.tif 000007
【図６】
2019505157.tif 000008
【図７】
2019505157.tif 000009
【図８】
2019505157.tif 000010
【図９】
2019505157.tif 000011
【図１０】
2019505157.tif 000012
【図１１】
2019505157.tif 000013
【図１２】
2019505157.tif 000014
【図１３】
2019505157.tif 000015
【図１４】
2019505157.tif 000016
【図１５】
2019505157.tif 000017
【図１６】
2019505157.tif 000018
【図１７】
2019505157.tif 000019
【図１８】
2019505157.tif 000020
【図１９】
2019505157.tif 000021
【図２０】
2019505157.tif 000022
【図２１】
2019505157.tif 000023
【図２２】
2019505157.tif 000024
【図２３】
2019505157.tif 000025
【図２４】
2019505157.tif 000026
【図２５】
2019505157.tif 000027
【図２６】
2019505157.tif 000028
【国際調査報告】
2019505157.tif 000029
2019505157.tif 000030
2019505157.tif 000031